(57)【要約】【課題】  雪止めと消雪効果とを念頭においた自由な発想から、冬期間のみならず四季を通じて屋根の外観を損なわない線材製の雪止め具を提供することを目的とする。【解決手段】  全体を線材によって縦横斜円角などの任意方向の立体形状に曲折して構成した雪止め部材１の底面部２・・・に基板６，６’を設け、この基板を任意手段により屋根板面に連結し、前記雪止め部材が有する線材力及び空間力によって積雪を切断及び溶解する消雪方法である。また、全体を線材によって縦横斜円角など任意方向の立体形状に曲折して構成した雪止め部材の底面部に基板を設け、この基板に屋根板取付具３１の掛止部３１’を連結固定する消雪装置である。また、全体を線材によって縦横斜円角など任意方向の立体形状に曲折して構成した雪止め部材の底面部に基板を設け、この基板を接着材を介して屋根面に固定する消雪装置である。【選択図】    図１
2012229602.tif 000002
【特許請求の範囲】
【請求項１】
全体を線材によって縦横斜円角など任意方向の立体形状に曲折して構成した雪止め部材が有する線材力及び空間力によって積雪を切断及び溶解することを特徴とする屋根用消雪方法。
【請求項２】
全体を線材によって縦横斜円角など任意方向の立体形状に曲折して構成した雪止め部材の底面部の一部に基板を設け、この基板に屋根板取付具の掛止部を連結固定することを特徴とする屋根用消雪装置。
【請求項３】
全体を線材によって縦横斜円角など任意方向の立体形状に曲折して構成した雪止め部材の底面部の全面に基板を設け、この基板を接着材を介して屋根面に固定することを特徴とする屋根用消雪装置。
【請求項４】
設置する屋根面の軒先に近接して設置する雪止め部材の左右稜線杆間に副稜線杆を設けて成ることを特徴とする請求項２又は３に記載した屋根用消雪装置。
【発明の詳細な説明】
【技術分野】
【０００１】
本発明は、屋根用の消雪方法及び消雪装置に関するものである。
【背景技術】
【０００２】
屋根には、瓦，セメントスレート，アスファルトルーフィング，折版葺，竪平葺，横葺，段葺，瓦棒などの各種構造のものが存するが、これらの屋根面に取付ける雪止め具としては鋼板を金型成形した羽根板を設けたものが周知になっているところ、この羽根板付き雪止め具を千鳥状に屋根勾配面に設置した場合、積雪に対する滑落防止作用は発揮されても、融雪スピードがにぶいことから、圧雪や凍結によって融雪の停滞現象が起こる欠点があったし、また屋根面の構造に合致しない単なる突出物として屋根の美観を害することがあり、また比較的コスト高なものとなったりした欠点があった。
【０００３】
そこで、本発明者は前記欠点の解消を考え、かつて下記に示すごとき線材による雪止め具を屋根面に設置する技術を開発している。
【先行技術文献】
【特許文献】
【０００４】
【特許文献１】特開２０１１−５８２１０号公報
【発明の概要】
【発明が解決しようとする課題】
【０００５】
しかしながら、この先願に係る雪止め装置の形状体は縦杆，横杆および稜杆を屋根形状に構成するものであるため、基本的にはいまだ羽根板体の延長線上にある形態であることが、多くの実験結果によって判明した。そこで、雪止めと消雪効果とを念頭においた自由な発想からの形態化を図ったところ、冬期間のみならず四季を通じて屋根の外観を損なわないのみならず、よりよい美観を屋根面において発揮することができる線材製の雪止め具の創作の可能性に挑戦することができたので、本発明にあってはそのような新製品を提供することを目的とするものである。
【課題を解決するための手段】
【０００６】
本発明は、全体を線材によって縦横斜円角などの任意方向の立体形状に曲折して構成した雪止め部材の底面部に基板を設け、この基板を任意手段により屋根板面に連結し、前記雪止め部材が有する線材力及び空間力によって積雪を切断及び溶解する消雪方法である。
【０００７】
また、本発明は、全体を線材によって縦横斜円角など任意方向の立体形状に曲折して構成した雪止め部材の底面部の一部に基板を設け、この基板に屋根板取付具の掛止部を連結固定する消雪装置である。
【０００８】
また、本発明は、全体を線材によって縦横斜円角など任意方向の立体形状に曲折して構成した雪止め部材の底面部の全面に基板を設け、この基板を接着材を介して屋根面に固定する消雪装置である。
【０００９】
また、本発明は、設置する屋根面の軒先に近接して設置する雪止め部材の左右稜線杆間の全部又は一部に副稜線杆を設けて成る消雪装置である。
【発明の効果】
【００１０】
第１に、屋根の勾配面に取付ける雪止め具全体は線材によって構成されていることから、積雪の滑落を阻止する機能を有することはもちろん、積雪に対し直接的に包丁機能である切断力を発揮し、積雪部分を細かく切断して消雪効果を促進することができるようになる。
【００１１】
第２に、雪止め具の内部には空気の流通性を確保した広い空間部が形成されることになるから、空気の内部流通が盛んになって、積雪の自然溶解による水滴化現象を起すことができ、これにより積雪の消去力を促進することができるようになる。この消雪効果は、例えばピラミッド形の雪止め部材の場合にあっては、その頂上部分が積雪面から外出していれば、太陽熱によってますます促進されるようになる。
【００１２】
第３に、特に屋根面の軒先側には雪止め部材の左右稜線杆間に副稜線杆を設けているものを設置するから、上側方面から押し出されて来た積雪部分が接すると、当該部分の切断とともに溶解を促進することができるようになる。
【００１３】
第４に、従来普及している鋼板をプレス成形した羽根板状の雪止め板は、その材料コストの高さから市場価格が暴騰する傾向にあるところ、このような非常時に直面することなく比較的安価な製品を長期的に安定して提供し、広く需要に応えることができるようになる。
【００１４】
第５に、線材にあっては自由な発想から様々なデザインの創作を促すことができ、その全体の構成は透明性があるから、建物の屋根面の美観の発揮と増進に貢献することができ、冬期間以外に年間を通して建造物の美観保持に役立つことができ、しかも和式，洋式の建物を問わず、注文主の希望に適合するデザインから成る雪止め具を設置することができるようになる。
【図面の簡単な説明】
【００１５】
【図１】ピラミッド形雪止め部材例の斜視図
【図２】図１例の平面図
【図３】ピラミッド形雪止め部材の別例の斜視図
【図４】ピラミッド形雪止め部材の別例の斜視図
【図５】円形ピラミッド形雪止め部材例の斜視図
【図６】ハート形雪止め部材例の斜視図
【図７】スペード形雪止め部材例の斜視図
【図８】円筒形雪止め部材例の斜視図
【図９】建物形雪止め部材例の斜視図
【図１０】ピラミッド形雪止め部材の別例の斜視図
【図１１】図１０の実施例を改良した雪止め部材例の斜視図
【図１２】図１０の実施例を改良した別の雪止め部材例の斜視図
【発明を実施するための形態】
【００１６】
いずれの雪止め具にあっても、雪止め部材の本体の一側底辺部に設けた基板に、屋根板用取付具の後側部に設けた掛止部を掛止めて連結して雪止め部材を屋根面上に取付ける。
【００１７】
本発明の雪止め部材にあっては、任意方向に立体的に曲折した線材によって部材の形態全体を構成しているものであるから、冬期の降雪時に屋根面に積雪があっても、雪止め具内部では十分に空間部が形成確保されて空気の流通現象が常に起きている。
【００１８】
また、降雪があっても雪は屋根面には停着せず、立体的に曲折している線材によって切断されながら消雪するから、積雪による時間当たりの残雪量の減少を促進することになる。
【００１９】
さらに、屋根面の軒先側に雪止め部材の左右稜線杆間に副稜線杆を設けたものを設置することにより、上側方面から押し出されて軒先部分に停止しようとする積雪に対して空気の流通と相俟って切断と溶解を促進することになる。
【００２０】
本発明の雪止め部材にあっては、屋根面に設置する取付具を取外して、希望する別の構造の雪止め部材に交換し、屋根面に取付け施工することができるようになる。
【実施例】
【００２１】
１は全体をステンレス鋼などの任意の金属線材によってピラミッド形状に構成する雪止め部材で、この雪止め部材は底面部２・・・を四角錐形状に曲折形成し、この頂点部３に向って四角底辺部からの稜線杆４・・・及びその中間部においても中稜線杆４’・・・を構成し、この４本又は８本の稜線杆にわたり前記底辺部と平行に間隔をおいて水平線材５・・を懸架して成る。前記底辺部２の前後両側部には基板６，６’を設置する。（図１，図２，図３，図４参照）
【００２２】
前記稜線杆４・・・は雪止め部材全体の強度を確保するために、図１及び図２に示したように、計８本の線材を稜線杆４・・・中稜線杆４’・・・として構成しているが、図３及び図４に示したように、計４本の線材によって稜線杆４・・・を構成してもよい。
【００２３】
この雪止め部材１にあっては、稜線杆４・・・中稜線杆４’・・・間にわたり中間の水平線材５・・を、やや傾斜方向に間隔をおいて傾斜線状に又は螺旋状に懸架構成してもよい。
【００２４】
７は全体を線材によってピラミッド形状に構成する雪止め部材で、この雪止め部材は、底辺部８・・・を四角錐形状に曲折形成しかつその頂点部９に向って底辺部の四角部から稜線杆１０・・・を構成し、この４本の稜線杆にわたり円周方向に間隔をおいて円形線杆１１・・・を懸架して成る。前記底面部２の前後両側部には基板１２，１２’を設置する。（図５参照）
【００２５】
図５に示す構成の雪止め部材７にあっても、各稜線杆の中間部にさらに中稜線杆を追加構成するようにしてよい。
【００２６】
この雪止め部材７にあっても、稜線杆１０・・・間にわたる中間の円形線杆１１・・・の線材を、やや傾斜をつけて傾斜線状にまたは螺旋状に懸架構成してもよい。
【００２７】
１３は全体を線材によってハート形状に構成する雪止め部材で、この雪止め部材は４本の立上り線杆１４・・・によってハート形状に曲折構成するが、この立上り線杆を左右両側部から支持する支杆材１５・・・１５・・・の水平底辺部１６・・・１６・・・は基板３２の左右両端部に固着して設置する。（図６参照）
【００２８】
前記ハート形状の雪止め部材１３の上位中心部には上取付杆３３を懸架固着し、また同雪止め部材の下位中心部においては下取付材３４を懸架固着し、またこの雪止め部材の中間部分には四角方向に中間枠材３５を懸架固着する。
【００２９】
１７は全体を線材によってスペード形状に構成する雪止め部材で、この雪止め部材は４本の立上り線材１８・・・によってスペード形状に曲折構成し、その頂辺部１９から底辺部２０までの中間部においては支杆材２１・・・を架設して接続し、底辺部の前後両側部には基板２２，２２’を設置する。（図７参照）
【００３０】
前記スペード形状の雪止め部材１７にあっては、その下位中間部分において中間枠材３６を懸架固着する。
【００３１】
２３は全体を線材によって円筒形状に構成する雪止め部材で、この雪止め部材は４本の垂直枠材２４・・・間に上端部から下端部にかけて円形線材２５・・を水平状に適当間隔をおいて架設して成るもので、この架設線材の底辺部の前後両側部においては基板２６，２６’を設置する。（図８参照）
【００３２】
この雪止め部材にあっても、この円形線材を垂直枠材２４・・・間内において螺旋状に架設してもよい。
【００３３】
２７は全体を線材によって建物風形状に構成する雪止め部材で、この雪止め部材は４本の縦横線材２８・・・により構成した各底辺部２９・・・の前後両側部には基板３０，３０’を設置する。（図９参照）
【００３４】
３１は図１乃至図９の実施例に示した前記各雪止め部材１，７，１３，１７，２３，２７に設置する後側部基板６，１２，３２，２２，２６，３０の中央部に掛止めて連結する屋根板取付具で、この取付具の具体的構造は各種任意であるが、屋根面の上側部の適所に固定する。
【００３５】
３１’は前記各取付具３１の前側部に設ける掛止部で、この掛止部は前記各雪止め部材の基板６，１２，３２，２２，２６，３０に掛止めるようにする。
【００３６】
図６に示した前記雪止め部材１３の例の場合にあっては、２個の前記取付具３１，３１を用意しその前側部の各掛止部３１’，３１’を基板３２に掛止めて固定するようしている。
【００３７】
図１及び図５に示したピラミッド形状の雪止め部材も、図６乃至図９に示したその他任意形状の雪止め部材も、いずれの実施例にあっても、屋根構造面に合わせて各取付具の掛止部３１’を各雪止め部材の底面部に設けた基板に掛止めて固定する手段をとる。
【００３８】
しかし、トタン板等の金属板の施工から成る屋根面に対しては、前記取付具は不要である。即ち、図１０乃至図１２に示した雪止め部材にあっては、雪止め部材の底面部全面に１枚の基板３７を設置し、この基板に接着材３８を設けて屋根面に直接接着して固定する手段をとるものである。
【００３９】
前記接着材３８の構成は、両面テープを有する両面接着材に成るものであるが、その他具体的には任意の接着材を使用してよい。
【００４０】
図１０の線材による雪止め部材１は、図１に示した実施例を改良した例である。即ち、１は全体をステンレス鋼などの任意の線材によってピラミッド形状に構成する雪止め部材で、この雪止め部材は底面部２を四角錐形状に曲折形成し、この頂点部３に向って四角底辺部から稜線杆４・・・を構成し、この４本の稜線杆間にわたり前記底辺部と平行に間隔をおいて水平線材５・・を懸架して成る。
【００４１】
この雪止め部材１にあっては、４本の稜線杆４・・・間に適当間隔をおいて水平線材５・・を懸架し、４本の稜線杆４・・・間の上下の水平線部間において前記稜線杆４・・・の形状と相似形に成る副稜線杆４０・・・を設けたものを設置する。（図１１参照）
【００４２】
また、雪止め部材１にあっては４本の稜線杆４・・・間に適当間隔をおいて水平線材５・・を懸架するとともに、軒先側に位置するために２本の稜線杆４，４間の上下の水平線部間のみに、前記稜線杆４，４の形状と相似形に成る副稜線杆４０を設ける。（図１２参照）
【符号の説明】
【００４３】
１                      雪止め部材
２・・・                底面部
３                      頂点部
４・・・                稜線杆
４’・・・              中稜線杆
５・・                  水平線材
６，６’                基板
７                      雪止め部材
８・・・                底辺部
９                      頂点部
１０・・・              稜線杆
１１・・・              円形線杆
１２，１２’            基板
１３                    雪止め部材
１４・・・              立上り線杆
１５・・・１５・・・    支杆材
１６・・・１６・・・    水平底辺部
１７                    雪止め部材
１８・・・              線材
１９                    頂辺部
２０                    底辺部
２１・・・              支杆材
２２，２２’            基板
２３                    雪止め部材
２４・・・              垂直枠材
２５・・                円形線材
２６，２６’            基板
２７                    雪止め部材
２８・・・              縦横線材
２９・・・              底辺部
３０，３０’            基板
３１                    屋根板取付具
３１’                  掛止部
３２                    基板
３３                    上取付杆
３４                    下取付材
３５                    中間枠材
３６                    中間枠材
３７                    基板
３８                    接着材
４０                    副稜線杆
【図１】
2012229602.tif 000003
【図２】
2012229602.tif 000004
【図３】
2012229602.tif 000005
【図４】
2012229602.tif 000006
【図５】
2012229602.tif 000007
【図６】
2012229602.tif 000008
【図７】
2012229602.tif 000009
【図８】
2012229602.tif 000010
【図９】
2012229602.tif 000011
【図１０】
2012229602.tif 000012
【図１１】
2012229602.tif 000013
【図１２】
2012229602.tif 000014